【手続補正書】
【提出日】平成16年1月7日(2004.1.7)
【手続補正１】
【補正対象書類名】明細書
【補正対象項目名】特許請求の範囲
【補正方法】変更
【補正の内容】
【特許請求の範囲】
【請求項１】
インクジェットプリンタを制御するプロセッサ手段を含むインクジェットプリンタのインクジェットプリントヘッド用の交換可能なインクカートリッジであって、前記インクジェットプリンタは、前記インクカートリッジを受けるレセプタクルを含み、前記レセプタクルは、前記プロセッサ手段に結合された第１のコネクタ手段を含み、前記インクカートリッジは、下記の（ａ）ないし（ｄ）を含むことを特徴とする。
（ａ）インクを保持するインク溜め。
（ｂ） 前記インクカートリッジが前記レセプタクルに挿入されると前記第１のコネクタ手段と係合する第２のコネクタ手段。
（ｃ） 前記インクカートリッジが前記レセプタクルに挿入されると前記インク溜めを前記インクジェットプリントヘッドに接続する液通手段。
（ｄ）前記第２のコネクタ手段に接続され、単一のデータ入出力線のみを有し、それにより、前記プロセッサ手段にとってアクセス可能となるシリアルアクセスメモリであって、少なくとも前記インク溜め内のインクの使用状態を示すデータを記憶するシリアルアクセスメモリ。
【請求項２】
請求項１に記載の交換可能なインクカートリッジであって、前記シリアルアクセスメモリは前記インクジェットプリンタのための修正されたパラメータデータを含むことを特徴とするインクカートリッジ。
【請求項３】
請求項２に記載の交換可能なインクカートリッジであって、前記修正されたパラメータデータが前記プロセッサ手段によってアクセスされると、前記プロセッサ手段は、前記修正されたパラメータデータと他のデータとを組み合わせて前記インクジェットプリンタおよびインクジェットプリントヘッドに対する制御信号を生成することができることを特徴とするインクカートリッジ。
【請求項４】
請求項１に記載の交換可能なインクカートリッジであって、前記シリアルアクセスメモリは前記インクカートリッジを示すシリアルナンバーを記憶し、前記プロセッサ手段は、記憶されたデータを有し、前記シリアルアクセスメモリから前記シリアルナンバーを読み出し、それを前記記憶されたデータと比較することによって前記インクカートリッジの同定が可能となることを特徴とするインクカートリッジ。
【請求項５】
請求項１に記載の交換可能なインクカートリッジであって、前記シリアルアクセスメモリは単一の電線のみによって前記第２のコネクタ手段に接続されることを特徴とするインクカートリッジ。
【請求項６】
インクジェットプリンタであって、下記の（ａ）ないし（ｄ）を含むことを特徴とする。
（ａ）前記インクジェットプリンタを制御するプロセッサ手段。
（ｂ）インクジェットプリントヘッド。
（ｃ）レセプタクルであって、使い捨て可能なインクカートリッジを受け、前記インクジェットプリントヘッドに液通し、前記プロセッサ手段に結合された第１のコネクタ手段を含むレセプタクル。
（ｄ）使い捨て可能なインクカートリッジであって、 前記レセプタクルに係合する形状を有し、インクを保持するインク溜めと、前記インクカートリッジが前記レセプタクルに挿入されると前記第１のコネクタ手段に係合する第２のコネクタ手段と、前記インク溜めを前記レセプタクル内の液通手段に接続する液通手段と、シリアルアクセスメモリであって、前記第２のコネクタ手段に接続され、単一のデータ入出力線のみを有し、それにより、前記プロセッサ手段にとってアクセス可能であり、少なくとも前記インク溜め内のインクの使用状態を示すデータを記憶するシリアルアクセスメモリと、を含む使い捨て可能なインクカートリッジ。
【請求項７】
請求項６に記載のインクジェットプリンタであって、前記シリアルアクセスメモリは、前記インクジェットプリンタのための修正されたパラメータデータを含むことを特徴とするインクジェットプリンタ。
【請求項８】
請求項７に記載のインクジェットプリンタであって、前記修正されたパラメータデータが前記プロセッサ手段によってアクセスされると、前記プロセッサ手段は、前記修正されたパラメータデータと他のデータとを組み合わせて前記インクジェットプリンタおよびインクジェットプリントヘッドに対する制御信号を生成することができることを特徴とするインクジェットプリンタ。
【請求項９】
請求項６に記載のインクジェットプリンタであって、前記シリアルアクセスメモリは前記インクカートリッジを示すシリアルナンバーを記憶し、前記プロセッサ手段は、記憶されたデータを有し、前記シリアルアクセスメモリから前記シリアルナンバーを読み出し、それを前記記憶されたデータと比較することによって前記インクカートリッジの同定が可能となることを特徴とするインクジェットプリンタ。
【請求項１０】
インクジェットプリンタの動作方法であって、前記プリンタは、プロセッサ手段、インクジェットプリントヘッド、および、使い捨て可能なインクカートリッジを受ける、前記インクジェットプリントヘッドに結合されたレセプタクルを含み、前記レセプタクルはさらに前記プロセッサ手段に結合された第１のコネクタ手段を含み、前記動作方法は下記の（ａ）ないし（ｃ）のステップを含むことを特徴とする。
（ａ）前記レセプタクルに使い捨て可能なインクカートリッジを挿入するステップであって、前記カートリッジは、インクを保持するインク溜めと、前記第１のコネクタ手段に係合する第２のコネクタ手段と、前記インク溜めを前記レセプタクル内の液通手段に接続する液通手段と、前記第２のコネクタ手段に接続されたシリアルアクセスメモリであって、前記カートリッジが前記レセプタクルに挿入されると前記プロセッサ手段にとってアクセス可能となるシリアルアクセスメモリと、を含む、ステップ。
（ｂ）印刷ジョブの開始時での前記プロッセサ手段の動作ステップであって、前記メモリに記憶されたデータから、（ｉ）前記レセプタクル内にカートリッジが動作可能に存在しているかどうか、（ｉｉ）前記カートリッジの識別子、および（ｉｉｉ）前記プリンタを制御するためのパラメータ値を決定し、該パラメータ値を用いて前記プリンタ内にすでに存在する対応するパラメータ値を更新するステップ。
（ｃ）前記印刷ジョブの完了時での前記プロッセサ手段の動作ステップであって、前記メモリに記憶されたデータを、前記インク溜め内のインク残量の判定を可能とする修正値を書き込むことによって更新するステップ。
【請求項１１】
請求項１０に記載の方法であって、ステップ（ｃ）において、前記プロセッサ手段は前記プリンタ内の他の場所で得られたデータにしたがって前記シリアルアクセスメモリへの修正パラメータ値の書き込みを行なうことを特徴とする方法。
【請求項１２】
インクジェットプリンタを制御するプロセッサ手段を含むインクジェットプリンタのインクジェットプリントヘッド用の交換可能なインクカートリッジであって、前記インクジェットプリンタは前記インクカートリッジを受けるレセプタクルを含み、前記レセプタクルは、インクジェットプリントヘッドに液通し、さらに前記プロセッサ手段に結合された第１のコネクタ手段を含み、前記インクカートリッジは、下記の（ａ）ないし（ｄ）を含むことを特徴とする。
（ａ）インクを保持するインク溜め。
（ｂ）前記インクカートリッジが前記レセプタクルに挿入されると前記第１のコネクタ手段と係合する第２のコネクタ手段。
（ｃ）前記インクカートリッジが前記レセプタクルに挿入されると前記インク溜めを前記インクジェットプリントヘッドに接続する液通手段。
（ｄ）シリアルアクセスメモリチップ手段であって、前記第２のコネクタ手段に接続され、それにより、前記プロセッサ手段にとってアクセス可能であり、前記インク溜め内のインクの使用状態を示すデータ、さらに前記インクジェットプリントヘッドの動作を制御するためのパラメータを示すデータを記憶するシリアルアクセスメモリチップ手段。
【請求項１３】
請求項１２に記載の交換可能なインクカートリッジであって、前記インクジェットプリントヘッドを制御するための前記パラメータが前記プロセッサ手段によってアクセスされると、前記プロセッサ手段は、前記パラメータデータと他のデータとを組み合わせて前記インクジェットプリンタおよびインクジェットプリントヘッドに対する制御信号を生成することができることを特徴とするインクカートリッジ。
【請求項１４】
インクジェットプリンタであって、下記の（ａ）ないし（ｄ）を含むことを特徴とする。
（ａ）前記インクジェットプリンタを制御するプロセッサ手段。
（ｂ）インクジェットプリントヘッド。
（ｃ）使い捨て可能なインクカートリッジを受けるレセプタクルであって、前記インクジェットプリントヘッドに液通し、前記プロセッサ手段に結合された第１のコネクタ手段を含むレセプタクル。
（ｄ）使い捨て可能なインクカートリッジであって、前記レセプタクルに係合する形状を有し、インクを保持するインク溜めと、前記インクカートリッジが前記レセプタクルに挿入されると前記第１のコネクタ手段に係合する第２のコネクタ手段と、前記インク溜めを前記レセプタクル内の液通手段に接続する液通手段と、シリアルアクセスメモリであって、前記第２のコネクタ手段に接続され、それにより、前記プロセッサ手段にとってアクセス可能であり、前記インク溜め内のインクの使用状態を示すデータ、さらに前記インクジェットプリントヘッドの動作を制御するためのパラメータを示すデータを記憶するシリアルアクセスメモリと、を含む使い捨て可能なインクカートリッジ。
【請求項１５】
請求項１４に記載のインクジェットプリンタであって、前記インクジェットプリントヘッドを制御するための前記パラメータが前記プロセッサ手段によってアクセスされると、前記プロセッサ手段は、前記パラメータデータと他のデータとを組み合わせて前記インクジェットプリンタおよびインクジェットプリントヘッドに対する制御信号を生成することができることを特徴とするインクジェットプリンタ。
【請求項１６】
媒体シート上に印刷を行なう装置であって、損耗する交換可能な部品、あるいは前記装置の動作時に用いられる消耗品を含む交換可能な部品を受けるように適合され、前記装置を制御するプロセッサ手段と、交換可能な部品を受けるためのレセプタクルと、前記１つのレセプタクルに関係付けられ、前記プロセッサ手段に結合された第１のコネクタ手段と、を含む装置において、前記交換可能な部品は、下記の（ａ）および（ｂ）を含むことを特徴とする。
（ａ）前記第１のコネクタ手段に係合する第２のコネクタ手段。
（ｂ）単一のデータ入出力線によって前記第２のコネクタ手段に接続されたシリアルアクセスメモリであって、少なくとも前記交換可能な部品の使用状態を示すデータを記憶し、前記プロセッサ手段は、前記シリアルアクセスメモリに対するデータの書き込みと読み出しの両方を行なうことができる、シリアルアクセスメモリ。
【請求項１７】
請求項１６に記載の装置であって、前記シリアルアクセスメモリはさらに前記装置のための校正データを記憶し、前記プロセッサ手段は、前記校正データにアクセスし、前記校正データと他のデータとを組み合わせて前記装置のための制御信号の発生を可能にするように制御されることを特徴とする装置。
【請求項１８】
請求項１６に記載の装置であって、前記シリアルアクセスメモリは前記交換可能な部品を示すシリアルナンバーを記憶し、前記プロセッサ手段は、記憶されたデータを有し、前記シリアルアクセスメモリから前記シリアルナンバーを読み出し、それを前記記憶されたデータと比較することによって前記交換可能な部品の同定が可能となることを特徴とする装置。
【請求項１９】
請求項１６に記載の装置であって、前記シリアルアクセスメモリは、定着アセンブリに接続され、内蔵されたシリコーンオイル入れの過去の使用履歴に関するデータを有し、前記プロセッサ手段は、透明媒体シートが前記定着アセンブリに接触した状態で通過しようとすることを判定すると、前記過去の使用履歴に関するデータに応答して前記定着アセンブリの温度を修正することを特徴とする装置。
【請求項２０】
請求項１６に記載の装置であって、前記シリアルアクセスメモリは、現像モジュールに接続され、前記現像モジュールに入ったトナーキャリヤの電荷質量比を規定するパラメータを記憶し、前記プロセッサ手段は、前記パラメータを用いて前記装置内の他の手段の設定を修正して前記電荷質量比パラメータを補償することを特徴とする装置。
【請求項２１】
請求項１６に記載の装置であって、前記シリアルアクセスメモリは、現像モジュールに接続され、現像器の磁石の強度および前記現像モジュールの面と感光ドラムとの間の距離を規定するパラメータを記憶し、前記プロセッサ手段は、前記パラメータを用いて前記装置内の他のパラメータの調整を可能にしてそれを補償することを特徴とする装置。